(57)【特許請求の範囲】
【請求項１】
建物の屋根に降り注いだ雨水を集水して流すための雨水流路と、この雨水流路に接続され、前記雨水に含まれる異物を除去するための異物除去装置とを備えた雨水集水装置であって、
この異物除去装置は、
降雨時に前記屋根に降った降り始めの所定の降水量の初期降雨水を貯留可能な内容積を有する貯留部と、
この貯留部に貯留された少なくとも前記初期降雨水を排出させるために前記貯留部の下部に取付けられた開閉手段と、
前記貯留部の上部に設けられて前記雨水流路に接続され、前記雨水で前記貯留部が満杯になった後に流入する雨水を直接下流側に流すための通過部とを備え、
前記異物除去装置は、パイプおよび継手を組み合わせた配管材で構成されていることを特徴とする雨水集水装置。
【請求項２】
前記雨水集水装置は、
前記異物除去装置の上流側に配置され、前記雨水に含まれる少なくとも浮遊物を除去するために前記雨水流路に接続された浮遊物除去装置と、
前記異物除去装置の下流側に配置され、前記雨水を貯留するために前記雨水流路に接続された雨水貯留槽とを備えたことを特徴とする請求項１に記載の雨水集水装置。
【請求項３】
前記貯留部は、縦方向に配置された一対の垂直パイプと、横方向に配置された下部側水平パイプと、この下部側水平パイプと前記一対の垂直パイプをそれぞれ接続するための一対の下部側継手とを備えてほぼＵ字状をなしており、
前記開閉手段は、前記下部側水平パイプおよび前記下部側継手の少なくとも一方に取付けられ、
前記通過部は、横方向に配置された上部側水平パイプと、この上部側水平パイプと前記一対の垂直パイプをそれぞれ接続するとともに前記雨水流路に接続された一対の上部側継手とを備え、ほぼ水平で直線状の流路を形成していることを特徴とする請求項１または２に記載の雨水集水装置。
【請求項４】
前記開閉手段は電気で駆動される制御弁であり、
前記貯留部に貯留された前記雨水の透明度を光で検出するための透明度検出手段を前記貯留部に設け、
前記透明度検出手段から出力される信号を制御装置に入力し、この制御装置がこの信号に基づいて前記制御弁を開閉動作させることを特徴とする請求項１，２または３に記載の雨水集水装置。
【請求項５】
前記開閉手段は電気で駆動される制御弁であり、
前記貯留部に貯留された前記雨水のｐＨを測定するためのｐＨ計を前記貯留部に設け、
前記ｐＨ計から出力される信号を制御装置に入力し、この制御装置がこの信号に基づいて前記制御弁を開閉動作させることを特徴とする請求項１ないし４のいずれかの項に記載の雨水集水装置。
【発明の詳細な説明】
【０００１】
【発明の属する技術分野】
本発明は、水耕栽培など所定の用途に利用するために雨水を集水する雨水集水装置に関する。
【０００２】
【従来の技術】
近年は、野菜や花など植物を土壌なしで栽培する水耕栽培や溶液栽培を行う施設園芸業が各地で盛んに行われるようになってきた。この施設園芸業では大量の水を必要としており、また、水に所定の濃度で各種肥料や農薬を混合した培養液で植物を育てている。この培養液は、水に肥料等を混合して厳密な成分組成になるようにしたものである。
ところが、地下水（たとえば、井戸水）には、塩化ナトリウム，鉄，その他の金属イオン，金属酸化物や、露地栽培等で使用された残留肥料等が含まれている場合が多く、また、水道水には殺菌に使用された塩素などが含まれている。地方自治体によっては、地盤沈下を防止するために、地下水の汲み上げを禁止または制限している地域もある。
一方、河川の水は、上流を除いて生活排水が流れ込むので窒素分が多く含まれており、また、取り水をする場所より上流側に排水を排出する工場等があると水質上安心して使用できない。
また、夏期に工場の内部の温度上昇を抑制するために、工場の屋根に地下水等を散水すれば、水に塩化ナトリウムや鉄分などが含まれていると、屋根が腐食，変色する場合があった。
【０００３】
水耕栽培などを行う際に、地下水，水道水または河川水を使用するには上述の各種制限や水質的な問題があるので、施設園芸業にとって栽培上よい水を確保することが困難な場合が多い。
ところで、植物を育てる場合に、雨水は、不純物をほとんど含んでいないので地下水，水道水，河川水と比べると水質的に最良の水である。そこで、施設園芸業では水質の良好な雨水の利用が着目され始めており、また、近年の深刻な水不足の対策として、従来はあまり利用されていなかった雨水を有効利用することも必要になってきた。
この雨水を得るために、建物の屋根に降り注いだ雨水を集水する雨水集水装置が使用される場合がある。
【０００４】
【発明が解決しようとする課題】
雨天時に建物の屋根に最初に降り注いだ初期の降雨水は、屋根や雨どいなどに溜まっていた木の葉など大きな浮遊物や埃（細かい土，砂等），ごみなど異物を含んで流れる。
しかしながら、従来の雨水集水装置では、建物の屋根に降り注いだ雨水を直接雨水用タンクに集水していたので、雨水用タンクに初期降雨水も入ることになり、集水された雨水全体の水質が悪いという課題があった。
そこで、屋根の面積や雨量に対応して所定量の初期降雨水を除去すれば、集水された雨水全体の水質を向上させることができる。そのために、初期降雨水を一時的に貯留するタンクを別途設置しようとすると、屋根の面積や降水量に対応して、その都度各種寸法の初期降雨水用タンクを設計、製作しなければならず手間とコストがかかり、また、初期降雨水用タンクが設置場所をとって邪魔になっていた。
また、雨水が酸性の場合に、この酸性雨を集水して使用すると植物が被害を受ける恐れがあった。
【０００５】
本発明は、このような課題を解決するためになされたもので、異物を含む少なくとも初期降雨水を除去するために屋根の面積および降水量に対応して貯留部の内容積を容易に設定して、いつでも自動的かつ確実に良質の雨水を集水することができる雨水集水装置を提供することを目的とする。
【０００６】
【課題を解決するための手段】
上述の目的を達成するため、本発明にかかる雨水集水装置は、建物の屋根に降り注いだ雨水を集水して流すための雨水流路と、この雨水流路に接続され、前記雨水に含まれる異物を除去するための異物除去装置とを備えた雨水集水装置であって、この異物除去装置は、降雨時に前記屋根に降った降り始めの所定の降水量の初期降雨水を貯留可能な内容積を有する貯留部と、この貯留部に貯留された少なくとも前記初期降雨水を排出させるために前記貯留部の下部に取付けられた開閉手段と、前記貯留部の上部に設けられて前記雨水流路に接続され、前記雨水で前記貯留部が満杯になった後に流入する雨水を直接下流側に流すための通過部とを備え、前記異物除去装置は、パイプおよび継手を組み合わせた配管材で構成されている。
さらに、前記雨水集水装置は、前記異物除去装置の上流側に配置され、前記雨水に含まれる少なくとも浮遊物を除去するために前記雨水流路に接続された浮遊物除去装置と、前記異物除去装置の下流側に配置され、前記雨水を貯留するために前記雨水流路に接続された雨水貯留槽とを備えているのが好ましい。
また、前記貯留部は、縦方向に配置された一対の垂直パイプと、横方向に配置された下部側水平パイプと、この下部側水平パイプと前記一対の垂直パイプをそれぞれ接続するための一対の下部側継手とを備えてほぼＵ字状をなしており、前記開閉手段は、前記下部側水平パイプおよび前記下部側継手の少なくとも一方に取付けられ、前記通過部は、横方向に配置された上部側水平パイプと、この上部側水平パイプと前記一対の垂直パイプをそれぞれ接続するとともに前記雨水流路に接続された一対の上部側継手とを備え、ほぼ水平で直線状の流路を形成しているのが好ましい。
なお、前記開閉手段は電気で駆動される制御弁であり、前記貯留部に貯留された前記雨水の透明度を光で検出するための透明度検出手段を前記貯留部に設け、前記透明度検出手段から出力される信号を制御装置に入力し、この制御装置がこの信号に基づいて前記制御弁を開閉動作させるのが好ましい。
また、前記貯留部に貯留された前記雨水のｐＨを測定するためのｐＨ計を前記貯留部に設け、前記ｐＨ計から出力される信号を制御装置に入力し、この制御装置がこの信号に基づいて前記制御弁を開閉動作させるのが好ましい。
【０００７】
【発明の実施の形態】
以下、本発明にかかる実施の形態の一例を、図１ないし図３を参照して説明する。
（第１の実施形態）
図１は本発明の第１の実施形態にかかる雨水集水装置を示す説明図、図２は図１に示す異物除去装置の拡大正面図である。
図１に示すように、雨水集水装置１は、建物３の屋根４に降り注いだ雨水５を集水して流すための雨水流路６と、雨水流路６に接続され、雨水５に含まれる異物を除去するための異物除去装置７とを備えている。雨どい１０は、屋根４に降り注いだ雨水５を集水して下方に流している。
さらに、雨水集水装置１は、異物除去装置７の上流側に配置され、雨水５に含まれる木の葉など浮遊物や比較的大きな異物を除去するために雨水流路６に接続された浮遊物除去装置としてのフィルタ８と、異物除去装置７の下流側に配置され、雨水５を貯留するために雨水流路６に接続された雨水貯留槽９とを備えている。
【０００８】
フィルタ８は、雨どい１０を流れてくる雨水５に水より比重の軽い木の葉などが含まれている場合に、これらを除去することができるようになっている。このフィルタ８は、時々点検，清掃して木の葉などを取り除く必要がある。
なお、雨水５に浮遊物等が含まれない場合にはフィルタ８を省略してもよい。他の浮遊物除去装置としては、たとえば、本体の内部に雨水を導入し、木の葉など浮遊物を上部に浮かした状態で本体下部から水を抜くような各種構成の装置が公知になっている。
また、雨水貯留槽９を設けないで、異物除去装置７から所定の用途先たとえば魚の養殖を行う池などに直接雨水５を流す場合であってもよい。
【０００９】
雨水流路６は、下流側がフィルタ８に接続された雨どい１０と、フィルタ８と異物除去装置７とを接続する上流側配管１１と、異物除去装置７と雨水貯留槽９とを接続する下流側配管１２と、雨水貯留槽９に貯留された雨水５を抜き出すためのポンプ１３に接続され、所定の用途Ｂに雨水５を供給するための配管１４とを備えている。
降雨時から次の降雨時までの間には、前記浮遊物の他に、水より比重の大きい埃やごみなど比較的細かな異物が、屋根４や雨どい１０に次第に溜まってくる。この異物は、降雨時に屋根４に降った降り始めの所定の降水量（たとえば、降り始めからの雨量が約１mmから約５mmまでの所定の値）の初期降雨水１５で洗い流されるので、その後に屋根４に降り注ぐ雨水５には異物はほとんど含まれず清浄な雨水になっている。異物除去装置７は、少なくとも初期降雨水１５に含まれる異物を除去する機能を有している。
雨水集水装置１で集水された雨水５を利用する用途Ｂの一例としては、水耕栽培等を行う施設園芸業，家庭での消費（たとえば、洗車，庭の散水，トイレの水洗等），夏期における工場の屋根に対する冷却用散水，魚の養殖などが挙げられる。
【００１０】
次に、異物除去装置７について説明する。
図１および図２に示すように、異物除去装置７は、初期降雨水１５を貯留可能な内容積を有する貯留部２１と、貯留部２１に貯留された少なくとも初期降雨水１５を排出させるために貯留部２１の下部に取付けられた開閉手段２０と、貯留部２１の上部に設けられ雨水流路６に接続された通過部２２とを備えている。
【００１１】
貯留部２１は、パイプおよび継手により構成され、全体的にほぼＵ字状をなしている。貯留部２１は、縦方向に配置された一対の垂直パイプ２３と、横方向に配置された下部側水平パイプ２４と、下部側水平パイプ２４と一対の垂直パイプ２３をそれぞれ接続するための一対の下部側継手２５とを備えている。
貯留部２１の内容積としては少なくとも初期降雨水１５を貯留できればよく、この初期降雨水１５の量は、屋根４の水平投影面積に前記所定の降水量を乗じた値である。
したがって、初期降雨水１５を貯留部２１で貯留可能なように、垂直パイプ２３，下部側水平パイプ２４，下部側継手２５を所定の長さおよび内径寸法にすれば、貯留部２１の内容積を調整することができる。
このように、屋根４の大きさや降水量に対応させて、パイプ２３，２４および継手２５の形状やサイズを変更することにより、貯留部２１の内容積を自在に調整することができる。
【００１２】
異物除去装置７は、床面２９に固定された架台３０に支持されている。架台３０には二組のクランプ部材３１が取付けられており、両方のクランプ部材３１により一対の垂直パイプ２３がそれぞれ支持されている。
架台３０の下部には二つの支持台３７が取付けられており、両方の支持台３７により一対の下部側継手２５がそれぞれ支持されている。支持台３７は、主に異物除去装置７およびこの内部に貯留される雨水の重量を支持しており、クランプ部材３１は、主に異物除去装置７の振れ止めの機能を発揮している。
開閉手段としてのドレン弁２０は、下部側水平パイプ２４および下部側継手２５の少なくとも一方に取付けられている。ドレン弁２０は、下部側水平パイプ２４の下面に下方に向けて取付けられており、コック２６を手動（または、電動）で操作することにより開閉自在になっている。
通過部２２は、初期降雨水１５など雨水で貯留部２１が満杯になった後に流入する雨水５を、直接下流側に流すためのものである。通過部２２は、横方向に配置された上部側水平パイプ２７と、上部側水平パイプ２７と一対の垂直パイプ２３をそれぞれ接続する一対の上部側継手２８とを備えており、ほぼ水平で直線状の流路を形成している。
一方（図２の右側）の上部側継手２８の上流側が流入口３５となり、他方（図２の左側）の上部側継手２８の下流側が流出口３６になっている。流入口３５には上流側配管１１が接続され、流出口３６には下流側配管１２が接続されている。
【００１３】
パイプ２３，２４，２７は、ポリ塩化ビニル，アクリル，ポリエチレンなど硬質の合成樹脂を材料としているが、内部に貯留された雨水の透明度などの状態が外部から観察できるように、透明（または、半透明）のポリ塩化ビニル製またはアクリル製のパイプを一部または全部に使用するのが好ましい。
下部側継手２５はＴ字状をなしており、ポリ塩化ビニル，ポリエチレンなど硬質の合成樹脂を材料としている。各下部側継手２５の水平方向の外方開口部には、下部キャップ３２がそれぞれ着脱可能に設けられている。一方または両方の下部キャップ３２を取り外せば、貯留部２１内部の点検，清掃を行うことができる。
上部側継手２８は十字状をなしており、その材質は下部側継手２５と同じである。各上部側継手２８の上部開口部には、上部キャップ３３がそれぞれ着脱自在に取付けられている。
この上部キャップ３３を取り外すことにより、通過部２２および貯留部２１の内部の点検および清掃ができる。異物除去装置７の内部に雨水があるか否かにかかわらず、上部キャップ３３を取り外して内部点検を行うことができる。
【００１４】
上述のように構成された雨水集水装置１において、雨水５を集水していない時に、あらかじめコック２６を操作してドレン弁２０を開き、異物除去装置７内にある雨水を抜き出して貯留部２１を空にした後、ドレン弁２０を閉じておく。
この状態で屋根４に雨が降ると、降り始めの所定の降水量の初期降雨水１５は、雨どい１０からフィルタ８，上流側配管１１を流れて流入口３５から異物除去装置７に流れ込む。
初期降雨水は、屋根４や雨どい１０を洗い流すので、木の葉など大きな浮遊物や大きな異物、埃やごみなど細かい異物を含んでいることがある。この初期降雨水が雨どい１０からフィルタ８を通る時に、木の葉など浮遊物や大きな異物は除去される。
初期降雨水は、フィルタ８を出て上流側配管１１および流入口３５から一方の上部側継手２８を通って貯留部２１に流れ込み、ここで貯留されるとともに初期降雨水１５に含まれている細かい異物は下部に沈殿していく。
【００１５】
こうして、貯留部２１が初期降雨水１５で満杯になった後、さらに続けて屋根４に降った雨水５には、浮遊物や異物はほとんど含まれていない。この清浄な雨水も、雨どい１０からフィルタ８，上流側配管１１を介して流入口３５から異物除去装置７に流入する。
ところが、貯留部２１はすでに初期降雨水１５で満杯になっており、しかも、ほぼ水平で直線状の流路を形成している通過部２２の配管抵抗の方が、Ｕ字形の貯留部２１の配管抵抗より小さいので、通過部２２はバイパスの機能を発揮する。
その結果、流入口３５から流入した清浄な雨水５は、この雨水５の流れの勢いと配管抵抗の差により、バイパスとなっている通過部２２を必然的に真っ直ぐに流れて流出口３６から流出し、下流側配管１２を通って雨水貯留槽９に貯留される。
このように、初期降雨水１５が異物除去装置７に貯留されるので、雨水貯留槽９に集水される雨水５は清浄な状態になっている。この清浄な雨水５は、ポンプ１３で抜き出され配管１４を流れて、水耕栽培など所定の用途Ｂに利用されることになる。
【００１６】
雨水５を集水したのち適当な時期にドレン弁２０を開け、貯留部２１に貯留されている汚れた初期降雨水１５を排出して貯留部２１を空にした後、ドレン弁２０を閉じて次の降雨を待つことになる。
なお、ドレン弁２０の使い方として、コック２６を操作してドレン弁２０を常時若干開いた状態にしておけば、降雨時以外の時には常に貯留部２１は空になっている。
したがって、降雨時には、ドレン弁２０からの排出量は少ないので、清浄な雨水５のほとんどは通過部２２を通って雨水貯留槽９に貯留される。
雨が止んだ後も、ドレン弁２０が常時若干開いているので、貯留部２１内の雨水は外部に排出され、やがて貯留部２１は再び空になって次の降雨に備えることになる。このようにすれば、異物除去装置７の管理はほとんど不要になる。
なお、一対の垂直パイプ２３の一方または両方に、網等を有するフィルタ部３４を設ければ、Ｕ字形の貯留部２１を雨水が流れる時の圧力損失をさらに大きくすることができ、貯留部２１に貯留されている汚れた初期降雨水１５が上方に移動することを防止できる。
その結果、清浄な雨水５が異物除去装置７に流入した時に、この雨水５は、配管抵抗の大きな貯留部２１を流れずに配管抵抗の少ない通過部２２を必然的に流れるので、貯留部２１に貯留されている初期降雨水１５が清浄な雨水と混合して流出する恐れはほとんどない。
【００１７】
（第２の実施形態）
図３は、本発明の第２の実施形態にかかる異物除去装置７ａの一部を示す説明図である。なお、第１の実施形態と同一または相当部分には同一符号を付してその説明を省略し、異なる部分のみ説明する。パイプおよび継手の材質は、第１の実施形態と同様である。
図３に示す異物除去装置７ａでは、貯留部２１ａに貯留された初期降雨水１５およびその後に降った雨水を排出させるための開閉手段として、電気で駆動される制御弁（たとえば、電磁弁２０ａ）を使用している。電磁弁２０ａは、下部側水平パイプ２４に下方に向けて取付けられている。
貯留部２１ａには、貯留部２１ａに貯留された初期降雨水１５など雨水の透明度を光で検出するための透明度検出手段４０、および貯留部２１ａに貯留された雨水のｐＨ（水素イオン濃度指数）を測定するためのｐＨ計４１の、いずれか一方または両方が設けられている。
本実施形態では、透明度検出手段４０およびｐＨ計４１の両方を設けている。透明度検出手段４０およびｐＨ計４１から出力される信号を制御装置４２に入力し、制御装置４２がこの信号に基づいて電磁弁２０ａを開閉動作させるようにしている。
【００１８】
透明度検出手段４０には、透過形の光電センサが使用されている。透明度検出手段４０は、一方の下部側継手２５の下部キャップ３２に取付けられた投光器（光発信器）４３と、他方の下部側継手２５ａの下部キャップ３２に取付けられた受光器（光受信器）４４を備えている。下部側継手２５ａの下部開口部には、貯留部内部を点検，清掃するためのキャップ４５が着脱自在に取付けられている。
投光器４３から出た光Ｒが、貯留部２１ａの内部を通って受光器４４で受光できるようになっている。すなわち、投光器４３の光Ｒは、一方の下部側継手２５の内部から下部側水平パイプ２４と他方の下部側継手２５ａの内部を通って、受光器４４に至る。
したがって、貯留部２１ａ内に雨水がないかまたは貯留されている雨水の透明度が良好な場合には、投光器４３の光Ｒを受光器４４で検出できるので、受光器４４から出力される信号に基づいて、制御装置４２は電磁弁２０ａを閉じる。
これに対して、貯留部２１ａ内の初期降雨水１５およびその後に降った雨水が汚れて透明度が低い場合には、投光器４３から出た光Ｒを受光器４４で十分に検出できないので、この受光器４４から出力される信号に基づいて、制御装置４２は電磁弁２０ａを開く。その結果、貯留部２１ａ内の汚れた雨水は電磁弁２０ａを介して排出される。
【００１９】
このようにすれば、汚れている雨水は、貯留部２１ａに貯留しないで電磁弁２０ａから外部に排出されるので、清浄な雨水が異物除去装置７ａに流入して通過部２２を流れる時に、貯留部２１ａ内には清浄な雨水が貯留していることになり、雨水貯留槽９に貯留される雨水５の水質をさらに向上させることができる。
長期間雨が降らなかったり、屋根４や雨どい１０に埃やごみなどが多量にある場合などには、汚れた初期降雨水の量が多くなって、貯留部で貯留しきれなくなることもある。
しかし、本実施例によれば、汚れている初期降雨水は、貯留部２１ａに貯留しないで電磁弁２０ａを介して排出されるので、雨水貯留槽９に貯留される雨水５の水質を良好に維持することができる。
また、貯留部２１ａの内容積を小さくすることができ、異物除去装置７ａをコンパクトにすることができる。
【００２０】
また、本実施形態では、貯留部２１ａに貯留されている雨水のｐＨをｐＨ計４１で常時測定している。そして、ｐＨ計４１で測定した雨水のｐＨがたとえば５．０以下の間は、ｐＨ計４１から出力される信号に基づいて制御装置４２が電磁弁２０ａを開き、ｐＨが５．０を超えた場合には電磁弁２０ａを閉じるようにしている。
これにより、異物除去装置７に流入する雨水が酸性の場合には、この雨水は電磁弁２０ａから排出されるので、雨水貯留槽９には酸性雨は貯留されない。貯留部２１ａ内を流れる雨水のｐＨが正常になってくると、ｐＨ計４１から出力される信号に基づいて、制御装置４２が電磁弁２０ａを閉じる。これにより、貯留部２１ａに雨水が貯留されたのち、新たな雨水は通過部２２を通って雨水貯留槽９に貯留される。
その結果、雨水貯留槽９には正常なｐＨの雨水が貯留されるので、植物を栽培するための水が酸性になることを防止して、植物の被害を防止することができる。
このように、本実施形態によれば、第１の実施形態よりさらに水質のよい雨水を集水することができる。
【００２１】
上述の第１，第２の実施形態における異物除去装置７，７ａを使用すれば、埃，ごみなど異物を含んだ初期降雨水１５を除去するために屋根４の面積および降水量に対応して貯留部２１，２１ａの内容積を容易に設定して、少なくとも初期降雨水１５を除去するので、昼間，夜間を問わずいつでも自動的に良質の雨水５を集水することができる。
植物の栽培等で最も重要で基本的な水についてその水質を向上させることができるので、施設園芸業の水耕栽培等で植物を良好に栽培することができる。地下水等と比べて雨水の品質は地域によってほとんど差がないので、所望の場所に自在に雨水集水装置１を設置することができる。
異物除去装置７，７ａは、汎用のパイプ２３，２４，２７および継手２５，２５ａ，２８を組み合わせた配管材で簡素に構成されている。したがって、異物除去装置７，７ａの部品の手配，設計，製作が容易であり、コスト的にも安価である。また、異物除去装置７，７ａを、設置する場所に対応させて自在な形に組み立てることができる。異物除去装置７，７ａは、従来の初期降雨水用タンク（たとえば、円筒形または矩形）と比べて全体的に平べったい形状になるので、建物３の壁に沿わせてコンパクトに設置でき、邪魔にならない。
【００２２】
初期降雨水１５を除去するのに、従来のような初期降雨水用タンクでは透明の部分を設けるのが構造的にも材質的にも難しいが、本発明では透明のパイプを一部または全部に使用することが簡単にでき、内部の雨水の透明度を観察することができる。
異物除去装置７，７ａには、初期降雨水１５を除去する時に雨水の水位が上昇するにつれて自然に動作するような動作部がないので、初期降雨水１５に含まれる異物等による動作不良の恐れがなく、雨水を確実に集水することができる。
夏期に工場内の温度上昇を抑制するために、雨水集水装置１で集水した雨水５を工場の屋根に散水すれば、雨が降っているのと同じことなので、従来のような屋根の腐食，変色などの不都合はない。
なお、各図中同一符号は同一または相当部分を示す。
【００２３】
【発明の効果】
本発明にかかる雨水集水装置は、上述のように構成したので、屋根の大きさや降水量に対応させて、パイプおよび継手の形状やサイズを変更することにより、貯留部の内容積を自在に調整することができる。
また、異物除去装置を、汎用のパイプおよび継手を組み合わせた配管材で簡素に構成することができるので、部品の手配，設計，製作が容易で、コスト的にも安価であり、また、異物除去装置は、設置する場所に対応させて自在な形に組み立てることができ、全体的に平べったい形状にもなるので、建物の壁に沿わせてコンパクトに設置でき、邪魔にならない。
【図面の簡単な説明】
【図１】図１および図２は本発明の第１の実施形態を示す図で、図１は雨水集水装置を示す説明図である。
【図２】図１に示す異物除去装置の拡大正面図である。
【図３】本発明の第２の実施形態にかかる異物除去装置の一部を示す説明図である。
【符号の説明】
１      雨水集水装置
３      建物
４      屋根
５      雨水
６      雨水流路
７，７ａ    異物除去装置
８      フィルタ（浮遊物除去装置）
９      雨水貯留槽
１５    初期降雨水
２０    ドレン弁（開閉手段）
２０ａ  電磁弁（開閉手段，制御弁）
２１，２１ａ    貯留部
２２    通過部
２３    垂直パイプ（パイプ）
２４    下部側水平パイプ（パイプ）
２５    下部側継手（継手）
２５ａ  下部側継手（継手）
２７    上部側水平パイプ（パイプ）
２８    上部側継手（継手）
４０    透明度検出手段
４１    ｐＨ計
４２    制御装置
【図１】
0004232998.tif 000002
【図２】
0004232998.tif 000003
【図３】
0004232998.tif 000004